(57)【要約】【課題】袖口の汚れ、水濡れの防止対策として、袖丈を短くする。従来の袖カバー、バンド、ビニール類の手袋等は、見栄え、使用感も悪く、違和感があり、着脱に不便である。特に濡れる器具では再利用時の清潔、乾燥に難がある。【解決手段】ボタン型部品と細ゴム紐の両端が繋がった止め具で、前者を袖口のボタン孔に、後者の紐の端をボタンに掛ける。次にそのまま袖口を上側へ折り返すと、袖丈は短くなる。着脱が容易で、弛みがなく、使い勝手が良い。その上、前者は、両袖口共、外側に付いており、また、ボタン孔より大きく出来るので、形状、模様がデザイン可能で、付け変えて楽しむ事が出来る。【選択図】図１
0003117171.tif 000002
【実用新案登録請求の範囲】
【請求項１】
袖口あげ止め具、ボタン形部品（紐を通す為の、中央に複数の穴が開けられた所謂、一般のボタン構造で、裏側中央部、左右にあいた物もある）はその中心部が、ゴム等の伸縮性のある細い紐の両端に、繋がっている。袖口のボタン孔の大きさに制約されないので、アクセサリーとしての形状とデザイン模様の挿入が出来る。紐の長さは、袖口のボタンを外し、折り曲げて、両端に少しあそびを入れ、弛みをなくす程度を目安とする。
【考案の詳細な説明】
【技術分野】
【０００１】衣服、作業着、ワイシャツ等の着用時に、袖口の汚れ、水濡れ等を避ける為、また袖丈サイズの長い衣服の場合、袖口部分を短くする必要がある。この止め具は、生地を損なう事なく、片手で迅速に、違和感のない、自然な形で、スムーズに着脱する。
【背景技術】
【０００２】市販の袖口ボタン掛け衣服、作業着、ワイシャツ等は、袖丈を短くする仕様にはなっていない。従来のカバー、バンド、ビニール製の手袋等は、取って付けた感じで、違和感があり、着脱には不便である。今日、社会生活上、服装に気を配る方々へ、役立つ止め具が求められている。
【考案の開示】
【考案が解決しようとする課題】
【０００３】袖口の汚れ、水濡れ防止に、袖口を短くする。一般に衣服の袖口は狭いので、ボタンを外し、折り曲げる。そのままでは、袖口は開いた状態になり、様になりません。袖口の幅より、更にもっと上方に捲り上げるしかなく、見栄えが良くありません。従来の方法は使用感、実用性に欠けている。
【課題を解決するための手段】
【０００４】本考案は、違和感なく、手軽に、袖口部分を短くする。ボタン型部品を、袖口のボタン孔に、片方の紐を、袖口のボタンに掛けて繋ぐ。この紐は伸縮性があるので、袖口を折り曲げ、短くした状態でも、弛みのないサイズに設定する。
【考案の効果】
【０００５】本考案の袖口あげ止め具で、袖口の汚れ、水濡れを防ぎ、然もボタン型部品に繋がっている紐の大部分が、袖口の内側に隠れて見えず、違和感がない。軽量で、嵩張らず、小さいので、前ポケットに入れておくと、何時でも使用でき、片手でセット、着脱が容易である。衣服のしわも付かず、気心地は装着前と殆ど変わらない。またワンポイント機能を持つ、ボタン型部品は、色々デザインを変えて、楽しむ事が出来る。
【考案を実施するための最良の形態】
【０００６】ボタン型部品に繋がっている紐のリング状の先端部を、袖口のボタン孔の裏側から、表側へ通し、それを表側に付いている袖口のボタンに掛ける。次に袖口を外側へ折り返すと、ボタン型部品が外側に、ボタンの掛かった紐は裏側に隠れる。その結果、袖丈が袖口の幅だけ短くなっても、衣服は変形せず、装着前の着心地も、見栄えも損なわれない。
【実施例】
【０００７】図２は、本考案、袖口あげ止め具を装着して、袖丈を短くした袖口の部分である。
【産業上の利用可能性】
【０００８】手作業で、手首が汚れやすい職場環境、特に農作業、漁業、建設関係、デスクワークによる現場の手伝い。日常の掃除、炊事、洗濯、庭の手入れ等々、袖口の汚れ、水濡れ防止に役立つ。袖丈サイズの長い衣服にも活用出来る。
【図面の簡単な説明】
【０００９】
【図１】  本考案の袖口あげ止め具の装着後、袖口を短くし、完成した正面図である。
【図２】  本考案の袖口あげ止め具の装着状態を示す正面図である。
【符号の説明】
【００１０】    １止め具、ボタン形部品
２止め具、紐
３袖口のボタン
４袖口のボタン孔
５ワイシャツ等の右袖口
６袖口のミシン線
７袖口幅
【図１】
0003117171.tif 000003
【図２】
0003117171.tif 000004
【手続補正書】
【提出日】平成16年8月6日(2004.8.6)
【手続補正１】
【補正対象書類名】実用新案登録請求の範囲
【補正対象項目名】請求項１
【補正方法】変更
【補正の内容】
【請求項１】
袖口あげ止め具、ボタン形部品の中心部は、ゴム等の伸縮性のある細い紐の両端に、繋がった構造で、ボタン機能の外、セット方法で、袖口の孔の大きさには依存しない為、形状とデザイン模様の挿入が可能で、衣服を引き立てる。尚、紐は、袖口の折り曲げができ、袖口の開きを抑え、ヒットする長さと太さを計測し、設計している。
尚、このボタン形部品は穴あきボタン等の外、素材が柔らかい物やカラーペーパー等、薄い場合には二つに折り曲げて使う。上下二枚以上張り合わせた構造になり、紐は中心部に穴のあいた下部の素材で、下から貫通して、表面で紐の両端が左右に、糊又は両面粘着テープで止め、上から同じサイズの素材で挟む。前者の場合、上下の素材は違っても可能である。丁度、サンドイッチ状態になる。
【手続補正書】
【提出日】平成16年10月14日(2004.10.14)
【手続補正１】
【補正対象書類名】実用新案登録請求の範囲
【補正対象項目名】全文
【補正方法】変更
【補正の内容】
【実用新案登録請求の範囲】
【請求項１】
袖口折り曲げ後の、図１で、袖口周りの長さにあわせて折径４ｃｍ前後に調整された細ゴム等、伸縮性のある紐の両端が繋がっているボタン型部品は（１）袖口の孔に依存しない為、大きさ、形状は自在である。（２）市販の穴あきボタンの硬質な素材（３）色物の不織布等の柔らかい素材、以上の構成で作られた袖口あげ止め具であり（４）色調を考えたカラーペーパー等の素材、この薄い紙には二つに折り曲げ、上層下層二枚以上張り合わせた構造になり、下層の中心部は１穴で２本乃至、紐の数毎、２穴開けられ、紐の両端の先端部分がそれぞれ表面に出て、紐が抜けないように糊又は両面粘着テープで固定する。厚い素材の場合は上層下層別々でも材質は違っても可能であり、上層の同じサイズの素材で挟む。いずれも丁度サンドイッチ状態の素材で構成されている袖口あげ止め具である。
【手続補正書】
【提出日】平成16年10月14日(2004.10.14)
【手続補正２】
【補正対象書類名】明細書
【補正対象項目名】全文
【補正方法】変更
【補正の内容】
【考案の詳細な説明】
【技術分野】
【０００１】長袖の衣服、作業着、ワイシャツ等の袖口部分を短くして（１）手仕事で袖口の汚れや水濡れを防ぎ（２）袖丈サイズの長い衣服でも着用出来る事（３）衣服の生地を損なう事なく、片手で迅速に、違和感のない、自然な形で、スムーズに着脱を可能にする袖口あげ止め具である。
【背景技術】
【０００２】現在、市販されている長袖の衣服、作業着、ワイシャツ等は袖口を短くする仕様にはなっておりません。従来のカバー、バンド、ビニール製の手袋等は違和感があり、着脱にも不便である。今日、社会生活の上で、服装に気を配る方々に役立つ袖口あげ止め具が求められている。
【考案の開示】
【考案が解決しようとする課題】
【０００３】市販の衣服の袖口周りのサイズは小さく、ボタンを掛けたままでは、袖口部分を上方に、折り曲げ返しが出来ません。ボタンをはずして折り曲げる事になり、ひだが開いた状態で、ボタン止めが出来ず、様になりません。本考案はこの袖口のひだを無くし、袖口を短くした状態で（１）衣服の袖口の汚れ、水濡れの防止（２）袖丈サイズの長い衣服の活用は勿論、（３）使用感、実用性、見栄え等々。以上の問題を解消する袖口あげ止め具である。
【課題を解決するための手段】
【０００４】本考案は袖口部分を短くする為のアイテムで、紐に繋がったボタン型部品を、図２の様に袖口のボタン孔に、紐の先を袖口のボタンに掛けて繋ぎ、次に図１の様に袖口を折り返す。（１）袖口孔より大きめのボタン型部品。（２）折径の長さ４ｃｍ前後の伸縮性のある紐。以上の要素で構成された袖口あげ止め具である。
【考案の効果】
【０００５】本考案は（１）袖口の汚れを防ぎ（２）水濡れ防止（３）袖丈サイズの長い衣服の着用が可能となる。（４）軽量で小さく、袖口の内側に大部分隠れて見えず、違和感がない（５）デザイン化されたボタン型部品はアクセサリーとなる（６）片手でセット、着脱が容易（７）活動的な装いになるが、折り目やしわも付かず、着心地は装着前と変わらない状態である。
【考案を実施するための最良の形態】
【０００６】袖口孔より大きめのボタン型部品に繋がったリンク状の紐の先端部を、図２の様に、ボタン孔の裏側から表側へ通し、それを表側に付いているボタンに、紐を掛ける。次に袖口を外側へ折り返すと、ボタン型部品が外側に、ボタンの掛かった紐は大部分裏側に隠れる仕様で、紐の太さと長さが調整されている為、袖口周りが変形しない。その結果、袖丈が袖口の幅だけ短くなっても、衣服の着心地も見栄えも損なわれないと言う袖口あげ止め具である。
【実施例】
【０００７】図１は、本考案、袖口あげ止め具を装着して、袖丈を短くした袖口の部分である。
【産業上の利用可能性】
【０００８】（１）手作業で手首の汚れやすい職場環境（２）デスクワークによる現場の手伝い（３）家庭内では、日常の掃除、炊事、洗濯、庭の手入れ等々。補完的利用方法として、ワンポイント機能を持つボタン型部品の素材に、一枚物だけでなく、上下二層構造とした厚手のカラーペーパーや色物の不織布等にして、アートとしてのデザイン機能を持たせる事。
【図面の簡単な説明】
【０００９】
【図１】本考案の袖口あげ止め具の装着後、袖口を短くし完成した正面図である。
【図２】本考案の袖口あげ止め具の装着状態を示す正面図である。
【図３】本考案の袖口あげ止め具の斜視図である。
【符号の説明】
【００１０】１袖口あげ止め具、ボタン型部品２袖口あげ止め具、紐３袖口のボタン４袖口のボタン孔５衣服、作業着、ワイシャツ等の右袖口６袖口のミシン線７袖口幅
【手続補正３】
【補正対象書類名】実用新案登録請求の範囲
【補正対象項目名】全文
【補正方法】変更
【補正の内容】
【実用新案登録請求の範囲】
【請求項１】
袖口折り曲げ後の、図１で、袖口周りの長さにあわせて折径４ｃｍ前後に調整された細ゴム等、伸縮性のある紐の両端が繋がっているボタン型部品は（１）袖口の孔に依存しない為、大きさ、形状は自在である。（２）市販の穴あきボタンの硬質な素材（３）色物の不織布等の柔らかい素材、以上の構成で作られた袖口あげ止め具である。
【手続補正４】
【補正対象書類名】図面
【補正対象項目名】全図
【補正方法】変更
【補正の内容】
【図１】
0003117171.tif 000005
【図２】
0003117171.tif 000006
【図３】
0003117171.tif 000007
【手続補正書】
【提出日】平成17年3月7日(2005.3.7)
【手続補正１】
【補正対象書類名】実用新案登録請求の範囲
【補正対象項目名】全文
【補正方法】変更
【補正の内容】
【実用新案登録請求の範囲】
【請求項１】
袖口のボタンを外した孔に、本考案のボタン型部品と繋がった折径の細ゴムの紐を、裏面から孔を通して表面のボタンに掛けると、袖口の孔とボタンの両端が紐で繋がった状態になる。（１）紐は伸縮するので、袖口の折り曲げが容易に出来、袖口幅だけ短くなる。裏面の袖口左右がゴム紐で引っ張られ、ボタン掛けしているのと同じ様な状態で、開きは無くなる。（２）同時に、裏面に隠れていたボタン型部品は表面に出て、然も両腕の袖口の外側にあり、袖口のボタン孔や形に依存しない為、装飾形状に出来るのでアクセサリーになる。以上の機能を持った袖口あげ止め具である。
【請求項２】
本考案の素材、ボタン型部品は身近な複合繊維素材が使える。（１）経済性、省資源、色調デザインを持った意外性のある形状、シート状の長さ１．７ｃｍ、幅１．５ｃｍ前後の厚手のカラーペーパーである。（２）二つ折り等で、上層下層を張り合わされる。この下層の中心部に、紐の両端の通り孔から、先端部分が表面に出て、太さ０．６ｍｍ程度の紐の両端が抜けないように、両面粘着テープ等の糊で、上層と一緒に挟み込まれ固定される。所謂サンドイッチ構造である。（３）折径４ｃｍ前後の細ゴム等の伸縮性のある紐に繋がっている。以上の形状で構成された袖口あげ止め具である。